(57)【特許請求の範囲】
【請求項１】
術部を観察するための実体顕微鏡光学系と、術部へ照明光を伝達するための照明光学系とを備えた顕微鏡部と、
術部を照明するための光源装置と、
上記顕微鏡部に配設される出射端部を有し、上記光源装置から上記顕微鏡部まで照明光を伝達するライトガイドファイバーと、
上記ライトガイドファイバーの出射端部で該ライトガイドファイバーを、上記照明光学系が接続される第１出射端と、内視鏡のライトガイドケーブルを着脱自在に接続する連結部を配置した第２出射端との２つの出射端に分岐し、上記光源装置からの照明光を、第１出射端から上記照明光学系に供給する照明光と、第２出射端から上記内視鏡のライトガイドケーブルに供給する照明光とに分岐する照明光分岐手段と、
を備えたことを特徴とする手術用顕微鏡。
【発明の詳細な説明】
【０００１】
【発明の属する技術分野】
本発明は、内視鏡を併用して手術を行うようにした手術用顕微鏡に関する。
【０００２】
【従来の技術】
近年、微細な患部での手術であるマイクロサージャリーの発達、普及に伴い、脳神経外科、耳鼻咽喉科、眼科等の様々な分野で、手術用顕微鏡の観察下で行うマイクロサージャリーが盛んに行われるようになった。特に最近では手術後の速やかな社会復帰等を考慮して、より低侵襲な手術が行われるようになってきている。その中でも、従来の手術用顕微鏡による観察では見えない（死角）部分を観察する、いわゆる内視鏡を併用した外科手術が注目されている。
【０００３】
脳神経外科等において内視鏡で術部を観察する場合、術者が内視鏡の観察方向を認識することが容易でなければならない。
また、内視鏡の操作時に組織を圧排することを極力少なくする低侵襲化が求められる。従って、手術用顕微鏡による観察下で内視鏡を使用する場合にはその内視鏡の挿入位置を常に確認しながら手術を行わなければならない。
【０００４】
一方、手術用顕微鏡の視野内に内視鏡の観察像を併合表示するシステムが、特開平１０−３３３０４７号公報、特開平７−２６１０９４号公報、特開昭６２−１６６３１０号公報においてそれぞれ開示されている。具体的には特開平１０−３３３０４７号公報での手術用顕微鏡では図３で示す如く、顕微鏡観察像の上部領域に内視鏡画像が同時に表示される。
【０００５】
ところで、このような従来の手術用顕微鏡システムに使用される内視鏡にあってはその内視鏡による観察部位あるいは固体撮像素子による撮像部位を照明するため、別に設置された専用の光源装置から照明光がライトガイドファイバーを介して内視鏡に供給される。
【０００６】
一方、眼科手術において使用される手術用顕微鏡としては、実開平４−８３２２３号公報に示される如く、手術用顕微鏡の架台に設けた光源から眼内照明プローブに照明光を供給し、眼内を照明するようにしたものが知られている。
【０００７】
【発明が解決しようとする課題】
特開平１０−３３３０４７号公報、特開平７−２６１０９４号公報、特開昭６２−１６６３１０号公報において開示される従来のシステムでは内視鏡用専用光源が必要であるため、その内視鏡システムが高額なものとなってしまう。また、手術室内に光源を設置するためにカート等の搭載器材が必要となり、手術室内の空間を狭める。また、光源装置は滅菌することができないため、手術部位から充分に離れたところに光源装置を隔離する必要がある。そのために内視鏡と光源を接続する長いライトガイドファイバーが必要であり、さらに、ライトガイドファイバーの自重、柔軟性により内視鏡操作時の抵抗となり、手術中、内視鏡をスムーズに移動できないという問題があった。
【０００８】
また、実開平４−８３２２３号公報に開示されている手術用顕微鏡においては手術用顕微鏡光源から眼内プローブへ照明光を供給しているために専用光源は必要がないものの、手術用顕微鏡の照明光と眼内プローブへの照明光は１つの光源ランプの光を切り換えて供給しているため、手術用顕微鏡と眼内プローブの両方を同時に照明することができず、その結果、観察することができない。
【０００９】
一方、脳神経外科等で小さい開口から深部を手術している場合では顕微鏡を使わなければ内視鏡の先端位置の確認が非常に困難であり、複雑な組織である頭蓋内では内視鏡が何処を見ているのかを容易に判断することができない。また、内視鏡の視野を移動させる操作は内視鏡像を頼りに行うことになり、その結果、内視鏡による周辺組織への圧排の機会も多くなってしまう。
【００１０】
また、照明光は手術用顕微鏡のアーム部からライトガイドファイバーにより、術部、すなわち眼内に導かれるため、手術を行う術者にとって、そのライトガイドファイバーが邪魔になり、手術効率を低下させる原因になっていた。
【００１１】
本発明はこのような課題に着目してなされたものであり、その目的とするところは、内視鏡併用手術において手術用顕微鏡と内視鏡の両方に同時に照明が可能であり、しかも同時に観察も可能であり、さらに内視鏡の操作性を向上させると共に、術者に十分な作業空間を提供し、また、手術室内の空間の余裕を確保し、及び安価なシステムで内視鏡観察を可能にすることにある。
【００１２】
【課題を解決するための手段及び作用】
本発明は、術部を観察するための実体顕微鏡光学系と、術部へ照明光を伝達するための照明光学系とを備えた顕微鏡部と、術部を照明するための光源装置と、上記顕微鏡部に配設される出射端部を有し、上記光源装置から上記顕微鏡部まで照明光を伝達するライトガイドファイバーと、上記ライトガイドファイバーの出射端部で該ライトガイドファイバーを、上記照明光学系が接続される第１出射端と、内視鏡のライトガイドケーブルを着脱自在に接続する連結部を配置した第２出射端との２つの出射端に分岐し、上記光源装置からの照明光を、第１出射端から上記照明光学系に供給する照明光と、第２出射端から上記内視鏡のライトガイドケーブルに供給する照明光とに分岐する照明光分岐手段と、を備えたことを特徴とする手術用顕微鏡である。
【００１３】
以上の様な構成により、一つの光源から発せられた照明光は顕微鏡部に導かれると共に分岐され、それぞれ第一の照明手段と第二の照明手段に供給され、それぞれの術部（観察部位）を同時に照明する。
【００１４】
【発明の実施の形態】
［第一参考例］
図１乃至図３を参照して本発明の第一参考例について説明する。
【００１５】
（構成）
図１は内視鏡を組み合わせた手術用顕微鏡システムの構成を概略的に示す。図１中、符号１は手術用顕微鏡を示し、この装置は床面に設置された架台部２と、この架台部２に接続されたアーム部４と、このアーム部４に支持された顕微鏡部３とを有し、この顕微鏡部３で術部を拡大観察する。顕微鏡部３はアーム部４によって支持され、空間内を３次元的に移動及び傾斜可能である。上記架台部２の支柱内には光源装置５が設置されている。この光源装置５はランプ５ａ及び集光レンズ５ｂを備えてなり、上記架台部２及びアーム部４の内部に配設された後述する可撓性ライトガイドファイバー１４に照明光を入射させる。ライトガイドファイバー１４に入射した照明光はそのライトガイドファイバー１４を通じて顕微鏡部３に導かれる。
【００１６】
手術用顕微鏡１にはその顕微鏡部３による視野観察においての死角を観察するための内視鏡６が接続される。この内視鏡６は挿入部６ａと手元部６ｂを有しており、その手元部６ｂには接眼部６ｃとライトガイドケーブル６ｄが設けられている。内視鏡６の接眼部６ｃにはＴＶカメラヘッド７が接続される。上記ＴＶカメラヘッド７のＴＶカメラケーブル７ａは上記アーム部４及び架台部２の内部に導かれて上記架台部２内に配設されたカメラコントロールユニット７ｂに接続されている。カメラコントロールユニット７ｂはモニター８及び後述する如く顕微鏡部３に内蔵された小型モニター９に接続される。
【００１７】
内視鏡６のライトガイドケーブル６ｄにはライトガイドファイバー６ｅが内蔵されており、このライトガイドケーブル６ｄは顕微鏡部３の下面部位に接続される。そして、ライトガイドファイバー６ｅに送り込まれた照明光を上記内視鏡６に取り込み、挿入部６ａの先端から術部に向けて照射するようになっている。
【００１８】
上記架台部２内には、手術時、術部を処置するための手術具である電気メスや超音波吸引装置のための電源１１ａ、及び制御部１２ａが収納されており、電源１１ａの本体及び制御部１２ａの本体からそれぞれ導出されたケーブルは１本の可撓性総合ケーブル１５に纏められて顕微鏡部３に導かれる。顕微鏡部３には中継ユニット１３が設けられ、上記総合ケーブル１５がこの中継ユニット１３に接続される。また、電気メスのハンドピース１１ｂ、及び超音波吸引装置のハンドピース１２ｂは上記中継ユニット１３に接続され、上記電源１１ａ及び制御部１２ａと電気的に接続される。
【００１９】
次に、図２を参照して上記顕微鏡部３の具体的な構成を説明する。すなわち、顕微鏡部３の鏡体の内部には術部Ｐ側から順に、１つの対物レンズ２０、紙面に垂直方向にある間隔をもって配設された一対のズームレンズ２１ａ，２１ｂ、一対の結像レンズ２２ａ，２２ｂ、一対のプリズム２３ａ，２３ｂ、一対の接眼レンズ２４ａ，２４ｂにより構成されており、立体観察のために紙面に垂直な方向に２つの観察光路２５ａ，２５ｂを形成している。なお、ここで、図面中には観察光路２５ａ，２５ｂにおいて上記符号２１〜２５のものに関してｂを添えた符号のものは図示していない。
【００２０】
一方、観察光路２５ａにおけるプリズム２３ａと接眼レンズ２４ａの間には光合成用プリズム１６が配置され、これにより視野内表示用光路１７を形成する。この視野内表示光路１７上にはプリズム１６側から順に結像レンズ１８及び上記小型モニター９が配設されている。小型モニター９は前述のカメラコントロールユニット７ｂに接続される。
【００２１】
また、顕微鏡部３には上記可撓性のライトガイドファイバー１４の出射端１４ａが配設され、さらに、この出射端１４ａ側から順に、集光レンズ２６、照明ズームレンズ２７、照明プリズム２８、及び上記対物レンズ２０に至る顕微鏡用照明光路２９が構成されている。照明ズームレンズ２７は上記観察光路２５ａのズームレンズ２１ａと連動するものであり、その照明光学系による照明範囲は観察視野の大きさに応じて変わる。
【００２２】
上記顕微鏡照明光路２９の途中にはハーフミラー３０が配設され、このハーフミラー３０により顕微鏡照明光路２９から分岐した内視鏡照明光路３１を形成する。上記ハーフミラー３０によって上記顕微鏡照明光路２９の照明光を所定の明るさの比にて分割し、その照明光の一部を分岐してこれを内視鏡照明光路３１に導き入れる照明光分岐手段を構成する。内視鏡照明光路３１上には集光レンズ３２が配設され、分岐した照明光を内視鏡６のライトガイドケーブル６ｄ内の可撓性光伝達手段であるライトガイドファイバー６ｅの入射端６ｆに入射させるようになっている。
【００２３】
内視鏡６のライトガイドケーブル６ｄの入射端部には外周に図示しないネジを形成したコネクタ６ｇが設けられ、このコネクタ６ｇを利用して内視鏡６のライトガイドケーブル６ｄを顕微鏡部３に対して着脱可能に接続するようになっている。
【００２４】
（作用）
手術用顕微鏡１の架台部２内の光源装置５から発せられた照明光はライトガイドファイバー１４を介して顕微鏡部３に位置する出射端１４ａへと導かれ、その出射端１４ａから集光レンズ２６、照明ズームレンズ２７、照明プリズム２８、対物レンズ２０を介して術部Ｐへと導かれる。術部Ｐにて反射された光は、対物レンズ２０、一対のズームレンズ２１ａ，２１ｂ、一対の結像レンズ２２ａ，２２ｂ、一対のプリズム２３ａ，２３ｂ、一対の接眼レンズ２４ａ，２４ｂにより術者の目へと導かれ、術部Ｐが立体的に観察される。
【００２５】
一方、顕微鏡用照明光路２９の照明光はハーフミラー３０にて一定の割合で反射された照明光の一部が分割されてこの分割された光が内視鏡用照明光路３１に導かれ、その内視鏡用照明光路３１の集光レンズ３２により内視鏡６のライトガイドファイバー６ｅに導かれる。
【００２６】
これにより、内視鏡６の先端から術部Ｐ、すなわち、内視鏡６の観察部位を照明する。内視鏡６の観察像はＴＶカメラヘッド７、ＴＶカメラケーブル７ａ、カメラコントロールユニット７ｂへと導かれ、モニター８及び顕微鏡部３内の小型モニター９に表示される。小型モニター９の表示画像は上記視野内表示光路１７を通して顕微鏡観察光路２５ａ，２５ｂの中に挿入されて、術者の目へ導かれ、図３に示す如く、顕微鏡視野４０の画像領域の一部に内視鏡画像４１が表示される。
【００２７】
（効果）
本参考例によれば、内視鏡６のライトガイドケーブル６ｄを顕微鏡部３の下面部位に接続するため、ライトガイドケーブル６ｄが最も短く構成でき、邪魔にならない。また、内視鏡用ライトガイドケーブル６ｄは顕微鏡部３に着脱可能であるため、内視鏡６を使用しない場合には取り外しておけるので、全く邪魔にならない。さらに、手術の手技に合わせて内視鏡６の種類を交換することも容易である。
【００２８】
尚、本参考例では手術用顕微鏡１の架台部２内に、手術時に患部を処置するための手術具の本体である電源１１ａ及び制御部１２ａが収納されているが、これらを手術室壁面へ内蔵設置し、まとめて１本化された総合ケーブルを介して中継ユニットを手術台２の下部に設置し、この中継ユニットに手術具のハンドピースを接続して使用することも十分可能である。また、光学的光路分割手段はハーフミラーではなく、ビームスプリッターであっても良い。
【００２９】
［第二参考例］
図４を参照して第二参考例について説明する。
【００３０】
（構成）
第二参考例は、一般的にドレープと呼ばれる透明の滅菌された袋を手術用顕微鏡１に被せて使用するようにした場合の第一参考例に係る手術用顕微鏡の変形例である。
【００３１】
この場合において、上記内視鏡６のライトガイドケーブル６ｄを接続するために顕微鏡部３に設けた接続部は図４で示す如く構成される。すなわち、顕微鏡部３の下面部位には略筒状の接続筒４５が固定的に取着され、この接続筒４５の内部には上記内視鏡照明光路３１の滅菌済みの集光レンズ３２が設置されている。また、接続筒４５は顕微鏡部３の下面から突き出して設けられ、そして、この接続筒４５の突出端にドレープ装着孔４６が形成される。このドレープ装着孔４６にはドレープ４７の滅菌済みの接続用ポート４８が差し込まれて装着される。
【００３２】
上記ドレープ４７は顕微鏡部３を覆うことができる透明な薄膜状の袋体からなり、上記接続筒４５に対応する部分には略筒状に形成した接続用ポート４８が設けられている。この接続用ポート４８は弾性材で略円筒状に構成され、上記ドレープ４７の一部分を貫通し、ドレープ４７に対して気密的に固着されている。
【００３３】
さらに、接続用ポート４８の差込み側端（内端）には端縁鍔部４８ａが形成されている。この端縁鍔部４８ａはドレープ装着孔４６に接続用ポート４８を差し込んだとき、接続筒４５のドレープ装着孔４６の内端に形成される段差４５ａに係止し、ドレープ装着孔４６に挿通した接続用ポート４８が脱落しないようにする。
【００３４】
上記接続用ポート４８の内径部にはネジ４８ｂが形成されており、このネジ４８ｂは内視鏡用ライトガイドケーブル６ｄのコネクタ６ｇに形成された図示しないネジ部と螺合する。
【００３５】
また、接続ポート４７の内方端部には、照明光を透過可能で滅菌済の光学部材４９が接着して気密的に固定されている。この光学部材４９は合成樹脂あるいはガラス等の部材で構成されている。
【００３６】
従って、ドレープ４７を顕微鏡部３に被せて装着すると、その顕微鏡部３の滅菌状態が確保される。一般に、内視鏡６のライトガイドケーブル６ｄは高圧蒸気により滅菌されおり、減菌されている接続用ポート４８を介して顕微鏡部３に装着されるため、顕微鏡部３の滅菌状態は確保される。また、内視鏡６のライトガイドケーブル６ｄを外しても顕微鏡部３は光学部材４９により外部と隔離されているため、術部に不潔物が落下することもない。
【００３７】
［実施形態］
図５を参照して本発明の実施形態について説明する。
【００３８】
（構成）
本実施形態は第一参考例に比べて顕微鏡照明光路２９及び内視鏡照明光路３１の部分の構成のみが異なり、その他の部分は第一参考例と同じなので、ここではその相違点を中心に説明する。
【００３９】
図５は顕微鏡部３とその周辺機器の構成を示す。同図中、５０はライトガイドケーブルであり、これには二分割のライトガイドファイバー５１が内蔵されている。ライトガイドファイバー５１はその入射側部分が纏められて同一に結束されている。この一本の束に纏められた入射端５１ａは第一参考例と同じく光源装置５に接続される。
【００４０】
また、ライトガイドファイバー５１の出射側部分は二股に分岐し、この２つの出射端５１ｂ，５１ｃはいずれも顕微鏡部３に対して着脱自在に接続される。そして、一方の入射端５１ｂは第一参考例と同様に顕微鏡部３の顕微鏡用照明光路２９に接続される。つまり、出射端部５１ｂ側から順に顕微鏡用照明光路２９の集光レンズ２６、照明ズームレンズ２７、照明プリズム２８、及び上記対物レンズ２０が配設されている。つまり、ここでの照明光分岐手段は分割されたライトガイドファイバーによって構成する。
【００４１】
ここでは、他方の出射端５１ｃは顕微鏡部３の下部に突出して形成した連結部５２に対して接続される。連結部５２には内視鏡６のライトガイドケーブル６ｄのコネクタ６ｇが着脱自在に接続される。そして、ライトガイドファイバー５１の出射端５１ｄは連結部５２内において上記ライトガイドケーブル６ｄ内のライトガイドファイバー６ｅの入射端６ｆに直接に向き合って対向して接触するように配置される。
【００４２】
（作用）
上記光源装置５から発せられた照明光はライトガイドファイバー５１で２分割され、それぞれ顕微鏡用照明光路２９、及び内視鏡６のライトガイドファイバー６ｅに導かれ、それぞれ顕微鏡観察部位、内視鏡観察部位を同時に照明する。
【００４３】
（効果）
本実施形態では顕微鏡照明光路２９は一般的な構成であり、内視鏡６への照明光の分割をライトガイドファイバー５１のみで行っているため、顕微鏡部３の構成が非常に簡略化することができると共に小型化が可能である。
【００４４】
［第三参考例］
図６を参照して第三参考例について説明する。
【００４５】
（構成）
本実施形態は第一参考例に比べてその顕微鏡照明光路２９及び内視鏡照明光路３１の部分の構成のみが異なり、その他の部分は第一参考例と同じなので、ここではその相違点を中心に説明する。
【００４６】
図６は顕微鏡部３とその周辺機器の構成を示す。同図中、６０は顕微鏡照明光路２９の中に配設された光学的光路分割手段としてのプリズムであり、このプリズム６０は顕微鏡照明光路２９の照明光の一部を偏向し、新たな内視鏡照明光路６１を形成する。
【００４７】
内視鏡照明光路６１上には第一参考例と同様に、集光レンズ６２、内視鏡用ライトガイドファイバー６ｄの入射端６ｆが配設されている。ここで、プリズム６０、集光レンズ６２、内視鏡用ライトガイドファイバー６ｄの入射端６ｆの部分はハウジング６３に一体的に配設されている。ハウジング６３はツマミ６４を回転することによりラックアンドピニオンによるギア伝達機構６５により顕微鏡部３に対して上記内視鏡照明光路６１の軸方向に移動可能に構成されている。すなわち顕微鏡照明光路２９の中へのプリズム６０の挿入量が可変であり、その挿入量を調整することにより、内視鏡照明光路６１へ分岐する光量を可変にする光量可変手段を構成する。
【００４８】
（作用）
ライトガイド出射端１４ａから出射した照明光は顕微鏡用照明光路２９からプリズム６０にて一部の光が分割され、集光レンズ６２を介して内視鏡６のライトガイドファイバー６ｄに導かれる。これにより内視鏡６の先端から術部Ｐ、すなわち内視鏡６の観察部位を照明する。
【００４９】
実際の手術で内視鏡観察時に内視鏡６側の照明を明るくしようとした場合は顕微鏡照明光路２９から照明光を内視鏡照明光路６１へ分割する光量の割合を多くするためにツマミ６４を回転させ、ギア伝達機構６５を介して、ハウジング６３をスライドさせ、プリズム６０を顕微鏡照明光路２９中の広範囲に挿入し、照明光量の分割割合を大きくすれば良い。
【００５０】
当然ながら、手術用顕微鏡１のみで内視鏡６を使用しない場合はプリズム６０を顕微鏡照明光路２９から退避させることにより、手術用顕微鏡側に明るい照明を供給することができる。
【００５１】
（効果）
本参考例では顕微鏡の照明光と内視鏡の照明光の明るさの割合を可変にしたため、それぞれの手術において最適な明るさで手術が可能である。
【００５２】
［第四参考例］
図７を参照して第四参考例について説明する。
【００５３】
（構成・作用）
本実施形態は第一参考例及び第三参考例の光源装置からライトガイドファイバーによる顕微鏡部３への照明光の伝達方式を変更し、顕微鏡部３内に直接ランプを内蔵したものであり、第一参考例のものを変形した形態で説明する。第一参考例との変更点はライトガイド出射端の代わりに反射鏡付きランプ７０を顕微鏡照明光路２９上に配設した点である。上記ランプ７０は上記架台部２内の図示しない電源により発光駆動される。他の構成は同様であり説明は省略する。
【００５４】
上記ランプ７０から発せられた光は第一参考例と同様の作用で術部Ｐに伝達される。
【００５５】
（効果）
直接に顕微鏡部３内にランプ７０を配設したことによりライトガイドファイバーを通すことによる明るさの損失が少なく、効率の良い照明が可能である。
【００５６】
尚、本発明は前述した実施形態のものに限定されるものではなく、また、前述した実施形態及び参考例の説明によれば少なくとも以下に列記する事項及びそれらを任意に組み合わせた事項が得られる。
【００５７】
＜付記＞
１．術部を観察するための実体顕微鏡光学系からなる第一の観察手段を備えた顕微鏡部と、術部を照明するための光源装置と、上記光源装置からの照明光を術部へ伝達するための第一の照明光学系とを有し、さらに第二の照明光学系を備えた第二の観察手段が接続可能な手術用顕微鏡において、
上記第一の照明光学系からの照明光を分岐して上記第二の照明光学系に供給する照明光分岐手段を備えたことを特徴とする手術用顕微鏡。
２．上記照明光分岐手段は、上記顕微鏡部内に配設されていることを特徴とする請求項１に記載の手術用顕微鏡。
【００５８】
３．上記照明光分岐手段は、上記第一の照明光学系の照明光路上に挿入された光路分割手段であることを特徴とする第１，２項に記載の手術用顕微鏡。
４．上記照明光分岐手段は、上記第一の照明光学系の照明光路上の一部に、挿入された光学的反射手段であることを特徴とする第１，２項に記載の手術用顕微鏡。
【００５９】
５．上記照明光分岐手段は、上記第一の照明光学系の分岐された可撓性光伝達手段であることを特徴とする第１，２項に記載の手術用顕微鏡。
６．上記照明光分岐手段は、上記第一の照明光学系と第二の照明光学系への分岐光量を可変にする光量可変手段を備えたことを特徴とする第１，４項に記載の手術用顕微鏡。
【００６０】
７．上記光学的光路分割手段は、ハーフミラーであることを特徴とする第３項に記載の手術用顕微鏡。
８．上記光学的光路分割手段はビームスプリッターであることを特徴とする第３項に記載の手術用顕微鏡。
【００６１】
９．上記光学的光路反射手段は、プリズムであることを特徴とする第４項に記載の手術用顕微鏡。
１０．上記光学的光路反射手段は、ミラーであることを特徴とする第４項に記載の手術用顕微鏡。
９．上記可撓性光伝達手段は、分割されたライトガイドファイバーであることを特徴とする第５項に記載の手術用顕微鏡。
【００６２】
【発明の効果】
以上説明したように本発明の手術用顕微鏡によれば、内視鏡併用手術において手術用顕微鏡と内視鏡の両方に同時に照明が可能である。すなわち手術用顕微鏡と内視鏡の両方によってそれぞれの視野を同時に観察することが可能である。また、顕微鏡部から内視鏡に照明光を供給しているので、内視鏡用に専用の光源装置が必要でないため、構成の簡略化が図れ、安価な装置を提供することが可能である。また、手術室内に光源装置を設置するためのカート等が不要であり、手術室内の空間を広く保つことができる。さらにはライトガイド手段は内視鏡と顕微鏡部を接続するのみであり、短縮化が図れるため、そのライトガイド手段の自重、柔軟性により、内視鏡の操作性を損ねることがないと共に、術者に邪魔になることがなく、十分な作業空間を提供できる。
【図面の簡単な説明】
【図１】  第一参考例に係る手術用顕微鏡の構成を概略的に示す説明図。
【図２】  同じく第一参考例に係る手術用顕微鏡の顕微鏡部周辺の構成を概略的に示す説明図。
【図３】  同じく第一参考例に係る手術用顕微鏡の顕微鏡視野示す説明図。
【図４】  第二参考例に係る手術用顕微鏡の構成を概略的に示す説明図。
【図５】  本発明の実施形態に係る手術用顕微鏡の構成を概略的に示す説明図。
【図６】  第三参考例に係る手術用顕微鏡の構成を概略的に示す説明図。
【図７】  第四参考例に係る手術用顕微鏡の構成を概略的に示す説明図。
【符号の説明】
１…手術用顕微鏡
２…架台部
３…顕微鏡部
４…アーム部
５…光源装置
６…内視鏡
１４…ライトガイドファイバー
３０…ハーフミラー
【図１】
0004384285.tif 000002
【図２】
0004384285.tif 000003
【図３】
0004384285.tif 000004
【図４】
0004384285.tif 000005
【図５】
0004384285.tif 000006
【図６】
0004384285.tif 000007
【図７】
0004384285.tif 000008